(57)【特許請求の範囲】
【請求項１】
水田に用水を供給する給水装置を内部に配置する箱型の桝であって、
桝本体は水位の設定に用いるセンサー装置を配置するためのセンサー部と、給水栓を配置するための給水部とを有するとともに、センサー部と給水部を仕切る隔壁を有しており、桝本体はセンサー部に用水を導入するための導水口をその壁面に有し、導水口の下端の導水高さがセンサー装置の零点と合致するように設定され、かつ、
上記給水部の壁面には給水部から供給される用水の越流堰を有し、その越流堰の高さは上記導水高さ及び水田の水面よりも高く設定され、
前記導水口の対向する左右口縁に案内溝が上下方向に形成されている
水田の給水装置用桝。
【請求項２】
桝本体はＰＣコンクリート製品として製造されるもので、底部は桝本体の一部として成型されるか又は現場打ちにて設けられ桝本体の一部となることを特徴とする請求項１記載の水田の給水装置用桝。
【請求項３】
桝本体の上端開口を覆う蓋体の固定手段として利用される、小開口が、少なくとも桝本体壁面の上部に形成されている請求項１記載の水田の給水装置用桝。
【発明の詳細な説明】
【技術分野】
【０００１】
本発明は、水田に用水を供給する給水装置を配置するための桝に関するものである。
【背景技術】
【０００２】
農業の担い手の減少や、農地集約による経営規模拡大、或いはそれらの相乗により水稲栽培における水管理が問題となっている。まず、絶対的な労力不足の問題があり、また、田圃における栽培段階に応じた水位管理も重要な課題である。加えて、麦や大豆等への転作時にも地下水位の制御が必要であり、不具合があれば高品位の作物は得られず安定多収の成果は望めない。
【０００３】
このため、水不足をなくし、また、かけ流し等による用水の浪費を防ぐために、従来から様々な給水装置が開発されている。それらが適切に設置され、かつ、所定の使用法で運用されていれば問題も少ないはずであるが、実際のところ、センサー装置を適正に設置又は設定することができないということも少なくない。他の原因としては、例えば、耕作地に土工を行なって設置することが多いので、その都度水位の設定を行なわなければならないという問題もある。
【０００４】
先行技術を調査すると、例えば、特開平１１−２３９４２３号等があり、水田全体にわたって安定した状態で用水を供給でき、田面水位を自動的に一定に維持できるとともに、施工性に優れと記載されている。しかし、これは田圃全体に埋設するもので、多くの耕作者に適したものといえるかどうか疑問がある。また、特開２０１２−１３６８７９号は水田用水位調整桝及び水田の水位調整方法を開示しているが、水供給路の途中に位置して効果を発揮するもので、それ自体で給水装置が完結するものではない。
【０００５】
こうした実情の下に、本件の発明者は用水のかけ流しを防止し、用水管理の労力削減を目的とする給水装置について鋭意研究を進めてきた。その結果、耕作地に据え付けて使用することができ、一々水位を設定する必要のない水田の給水装置用に用いることができる技術の開発を推進し、本発明を完成するに至った。
【先行技術文献】
【特許文献】
【０００６】
【特許文献１】特開平１１−２３９４２３号
【特許文献２】特開２０１２−１３６８７９号
【発明の概要】
【発明が解決しようとする課題】
【０００７】
本発明は前記の点に鑑みなされたもので、その課題は水田に水を供給する給水装置を容易、かつ、正確に据え付けることができ、また、内部に配置した給水装置を効果的に保護することができる水田の給水装置用桝を提供することである。
【課題を解決するための手段】
【０００８】
前記の課題を解決するため、本発明は、水田に用水を供給する給水装置を内部に配置する箱型の桝について、桝本体は水位の設定に用いるセンサー装置を配置するためのセンサー部と、給水栓を配置するための給水部とを有するとともに、センサー部と給水部とを仕切る隔壁を有しており、桝本体はセンサー部に用水を導入するための導水口をその壁面に有し、導水口の下端の導水高さがセンサー装置の零点に合致するように設定され、かつ、上記給水部の壁面には給水部から供給される用水の越流堰を有しおり、その越流堰の高さは上記導水高さ及び水田の水面よりも高く設定されるようにするという手段を講じたものである。
【０００９】
上記の構成において、桝の本体はほぼ箱型であることを記載したが箱型という場合角型のものが連想されるとしても、丸型のものについても本発明に適用することができるのは明らかである。また、本発明における桝本体は少なくとも周囲が閉じているだけで足りる場合もあるので、設置場所や設置時期その他の条件に応じて、重量にも大きな影響を及ぼす底部の有無を選択することができる。
【００１０】
すなわち、桝本体はＰＣコンクリート製品として製造されるものであれば、底部は桝本体の一部として成型されるものであっても良いし、又は、基礎として現場打ちにて設けられ桝本体の一部となるものであっても良い。従って、田圃の田面に対する高さ位置を予め正しく設定しておくことにより、センサー装置や給水栓を設置する上で位置決定の問題はなくなり、正確かつ容易な据え付けが可能になる。
【００１１】
底部を桝本体の一部として有するものは、設置場所にコンクリートを現場打ちのできない場合や早急に潅水を行ないたいときでも施工可能であり、底部を有しない桝本体は施工時の負担軽減（軽量化）に有効である。なお、桝本体としてコンクリートは最も望ましい材料であるが、これに限定されるものではなく、結合剤として、例えば、レジン（熱硬化性樹脂）を使用し、砂利、砂等の骨材を混合した、いわゆるレジンコンクリートも使用可能である。
【００１２】
本発明において桝本体は水位の設定に用いるセンサー装置を配置するためのセンサー部と、給水栓を配置するための給水部とを有するとともに、センサー部と給水部とは隔壁により仕切られている。センサー部が給水部における水流の影響を受けることがなく、正確な水位検出、設定が可能になる。なお、上記給水栓はセンサー装置の指令により作動する構成を取ることができる。
【００１３】
また、桝本体はセンサー部に水を導入するための導水口をその壁面に有し、導水口の下端の導水高さがセンサー装置における零点に合致するように設定され、かつ、給水部の壁面には給水部から供給される用水の越流堰を有し、その越流堰の高さは上記導水高さ及び水田の水面よりも高く設定されている。
【００１４】
導水口の下端は田圃の田面と同じ高さに設定され、導水高さと呼ばれる。また、田面は湛水される水面の底であるから、この導水高さがセンサー装置における零点と合致するように設定されている。本発明の給水装置用桝を設置する際には、田面と導水高さを合致させれば良いことになる（図５参照）。従って、桝の設置は非常に容易に行える。
【００１５】
越流堰は上記導水高さ及び水田の水面よりも高く設定されていれば足りる。給水装置の作動による水面高さはセンサー装置によって検出されるから、越流堰の高さは高過ぎることにさえ注意するだけで良いのである。高過ぎることは落水により田面に穴を掘る結果になるので注意すべきである。
【００１６】
また、桝本体の上端開口を覆う蓋体の固定手段として、小開口が、少なくとも桝本体壁面の上部に形成される。半ば恒久的に使用される水田の給水装置用桝であるから、不使用時期には勿論のこと使用時期でも開口を覆い、内部が汚れたり、センサー装置や給水栓を保護したりするために蓋体を使用することが望まれる。
【発明の効果】
【００１７】
本発明は以上のように構成され、作用するものであるから、水田に水を供給するために内部に配置された給水装置を容易、かつ、正確に据え付けることができるとともに、取り付けられている給水装置を保護するために好適な水田の給水装置用桝を提供できるという効果を奏する。また、本発明によれば、設置場所に応じて底部のあるものとないものを選択できるので、現場の状況に適合した水田の給水装置用桝を使用することができ、施工時における労力の軽減にも寄与する。
【図面の簡単な説明】
【００１８】
【図１】本発明に係る水田の給水装置用桝の一例を示すもので、Ａは桝本体斜視図、Ｂは図２Ｂにおける１Ｂ部分の拡大図である。
【図２】同じく桝本体を示すもので、Ａは正面図、Ｂは平面図である。
【図３】同じく桝本体の他の例を示すもので、Ａは上下逆転時の斜視図、Ｂは通常時の斜視図、Ｃは中央部の縦断面図である。
【図４】同じく桝本体の開口部分を閉じた状態を示す斜視図である。
【図５】同じく桝本体の設置状態を示すもので、Ａは側面断面説明図、Ｂは正面説明図である。
【発明を実施するための最良の形態】
【００１９】
以下図示の実施形態を参照して本発明をより詳細に説明する。本発明に係る水田の給水装置用桝は水田に水を供給する給水装置を内部に配置するもので、図１に示す例１のものは直方体型の箱から成る桝本体１０を有している。例１の桝本体１０は、周囲四面が壁面で構成された六面体から成るもので下面と上面は開口したままであるから、底部を有さない軽量タイプである。
【００２０】
上記の桝本体１０は水位の設定に用いるセンサー装置１１を配置するためのセンサー部１２と、センサー装置１１からの指令信号により作動する給水栓１３を配置するための給水部１４とが並列して設けられている（図２参照）。また、上記センサー部１２と給水部１４とは隔壁１５により仕切られている。
【００２１】
上記センサー部１２と給水部１４は並列した配置であることが望ましいけれども、左右のどちらにセンサー部１２と給水部１４が位置するかについては自由に選択することができる。また、左右の並列と記載したけれども、センサー部１２と給水部１４に加えて第三第四の部分を有する構造を取ることも想定される。
【００２２】
実施形態の桝本体１０はＰＣコンクリート製品（プレキャストコンクリート製品）として製造されるものである。従って、四周の壁面及び隔壁１５には配筋が施されるほか、必要に応じて勾配が設けられるなどコンクリート製品製造上の設計方法が適用される。コンクリート以外の材料によっても桝本体１０を製造できることは前述したとおりである。
【００２３】
さらに本発明では、桝本体１０はセンサー部１２に用水を導入するための導水口１６をその壁面に有し、導水口１６の下端１７の導水高さがセンサー装置１１の零点と合致するように設定されている（図５参照）。導水口１６は左右に並列したセンサー部正面の壁面に凹状に形成され、導水口１６の対向する左右口縁には後述する戸板差し込み用の案内溝１７ａ、１７ａが上下方向に形成されている。
【００２４】
上記給水部１４の壁面には給水部１４から供給される用水の越流口１８を有しており、その越流堰１９の高さは上記導水高さ及び水田の水面よりも高く設定されている。この越流口１８も左右に並列した給水部正面の壁面に凹状に形成され、越流口１８の対向する左右口縁には上下方向の案内溝１９ａ、１９ａが形成されている。
【００２５】
桝本体１０には、さらに、桝本体１０の上端開口を覆う蓋体２１（図５参照）の固定手段として利用される、少なくとも桝本体壁面の上部に小開口２３が形成されている。小開口２３は桝本体１０を吊り上げるフック等の掛け止め部として形成され、ＰＣコンクリート製品から成る桝本体１０の運搬や設置に使用され、また、隔壁１５に設けた小開口２３ｃはセンサーケーブルの通し孔に利用される。
【００２６】
このような構成を有する例１の給水装置用桝は、例えば、図５に詳細に示したように田圃を区画する畔（あぜ、くろとも）Ｇに基礎３０を整えて設置され、その際にコンクリートを打設して底部３１が形成される。底部３１のセンサー部側には水抜き穴３２が適宜設けられ、また、給水部側には給水管３３を通す管路孔３４が設けられるとともに、管路孔３４には吸出防止材３５が設けられる。
【００２７】
水抜き穴３２は桝本体内部を乾燥状態に保ち機器の老朽化を抑制すること、整備や清掃をし易い状態に保つために設けられている。このようにして設置された給水装置用桝は、導水口の下端１７の導水高さがセンサー装置１１の零点と合致するように設定されている（図５Ｂ）。零点は図５Ｂに図示されており、マイナス６ｃｍ〜プラス１２ｃｍの範囲の目盛とともに記載されている。従って、上記の範囲で水位を検知し、かつ、設定することができる。
【００２８】
さらに、図３を参照して本発明の実施形態の例２を説明する。例２の桝本体２０は例１と同様に上面は開口したままの六面体構造であるが、センサー部２２と給水部２４にそれぞれ底部２５、２６を有している重量タイプである。センサー側底部２５には小さな水抜き孔２７が形成され、給水部側底部２６には、給水管３３を設置するために比較的大きな開口２８が形成されている。この開口部分における通水防止のために、前記の吸出防止部材３５が設けられている。
【００２９】
例２のものも桝本体２０はセンサー部２２に用水を導入するための導水口１６をその壁面に有し、かつ、給水部２４の壁面には給水部２４から供給される用水の越流口１８を有している。これらの構成は例２も例１のものと同じであるので符号を援用し、詳細な説明は繰り返さない。
【００３０】
例２の給水装置用桝について、現場打ちによる底部形成の必要がないことは当然であるが、設置の目的と趣旨は図５に示したのと同様である。従って、田圃を区画する畔Ｇに基礎３０を整えて設置すれば良く、施工はより容易である。例２のものは、特に設置場所にコンクリートを現場打ちのできない場合や早急に潅水を行ないたいときでも施工可能である点において有利である。
【００３１】
図４は本発明に係る水田の給水装置用桝と共に使用する付属物を示しており、符号２１は前述の蓋体であり、小開口２３を利用して桝本体１０に固定される。２９−１及び２９−２は前述の戸板であって、導水口１６の対向する左右口縁に形成された案内溝１７ａ、１７ａ、１９ａ、１９ａにそれぞれ差し込まれ上下方向に抜き差しされる。
【符号の説明】
【００３２】
１０、２０  桝本体
１１  センサー装置
１２、２２  センサー部
１３  給水栓
１４、２４  給水部
１５  隔壁
１６  導水口
１７  導水口の下端
１８  越流口
１９  越流堰
２１  蓋体
２３、２３ｃ  小開口
２５、２６、３１  底部
２７、３２  水抜き孔
２８  開口
２９−１、２９−２  戸板
３０  基礎
３３  給水管
３４  管路孔
３５  吸出防止部材
【図１】
0006562309.tif 000002
【図２】
0006562309.tif 000003
【図３】
0006562309.tif 000004
【図４】
0006562309.tif 000005
【図５】
0006562309.tif 000006